(57)【要約】【課題】画像データに対する処理条件を容易に設定できる画像処理装置、画像形成装置、出力様式設定方法および出力様式設定プログラムを提供する。【解決手段】スキャナ１１０は、画像データを取得し、書式判定部１５２は、取得された画像データから、画像データを印刷した媒体のページめくりの軸である閲覧軸の位置を限定する特性を示す書式情報を判定し、閲覧軸判定部１５３は、判定された書式情報に基づいて、閲覧軸の位置を判定し、出力様式メニュー生成部１５４は、画像データに対して設定する処理条件である様式情報のうち、閲覧軸判定部１５３によって判定された閲覧軸の位置によって設定できる様式情報を限定し、操作表示制御部１５１は、限定された様式情報の入力を受付ける。【選択図】        図１
2008311956.tif 000002
【特許請求の範囲】
【請求項１】
画像情報を取得する画像情報取得手段と、
前記画像情報取得手段によって取得された前記画像情報から、前記画像情報を印刷した媒体のページめくりの軸である閲覧軸の位置を限定する特性を示す書式情報を判定する書式判定手段と、
前記書式判定手段によって判定された前記書式情報に基づいて、前記閲覧軸の位置を判定する閲覧軸判定手段と、
前記画像情報に対して設定する処理条件である様式情報のうち、前記閲覧軸判定手段によって判定された前記閲覧軸の位置によって設定できる前記様式情報を限定する様式限定手段と、
前記様式限定手段によって限定された前記様式情報の入力を受付ける様式受付手段と、
を備えることを特徴とする画像処理装置。
【請求項２】
前記閲覧軸の位置と、前記様式情報とを対応付けて記憶する様式記憶手段、をさらに備え、
前記様式限定手段は、前記様式記憶手段から、前記閲覧軸判定手段によって判定された前記閲覧軸の位置に対応付けられた前記様式情報を取得し、取得された前記様式情報に限定すること、を特徴とする請求項１に記載の画像処理装置。
【請求項３】
前記書式判定手段によって判定された前記書式情報は、少なくとも、前記画像情報に含まれる文字が縦書きまたは横書きのいずれか一方である旨を示す行情報と、両面印刷の場合に奇数頁と偶数頁と天地が同一か逆かを示す天地情報のいずれか一つを含むこと、を特徴とする請求項１または請求項２に記載の画像処理装置。
【請求項４】
前記様式受付手段によって受け付けられた前記様式情報は、少なくとも、前記画像情報を媒体に印刷する際の前記画像情報を両面印刷するか片面印刷するかを示す印刷情報と、印刷された媒体を綴じる方向を示す綴じ方向情報のいずれか一つを含むこと、を特徴とする請求項１〜３のいずれか一つに記載の画像処理装置。
【請求項５】
前記閲覧軸判定手段は、前記書式情報に加えて前記様式受付手段によって受け付けられた前記様式情報に基づいて、前記閲覧軸の位置を判定すること、を特徴とする請求項１〜４のいずれか一つに記載の画像処理装置。
【請求項６】
前記閲覧軸判定手段は、前記書式情報に加えて前記様式受付手段によって受け付けられた前記様式情報の一部に基づいて、前記閲覧軸の位置を判定すること、を特徴とする請求項１〜４のいずれか一つに記載の画像処理装置。
【請求項７】
画像情報を取得する画像情報取得手段と、
前記画像情報取得手段によって取得された前記画像情報を表示する画像表示手段と、
前記画像表示手段によって表示された前記画像情報に対して前記画像情報を印刷した媒体をページめくりする際の軸である閲覧軸の位置の入力を受付ける閲覧軸受付手段と、
前記画像情報に対して設定する処理条件である様式情報のうち、前記閲覧軸受付手段によって受け付けられた前記閲覧軸の位置によって設定できる前記様式情報を限定する様式限定手段と、
前記様式限定手段によって限定された前記様式情報の入力を受付ける様式受付手段と、
を備えることを特徴とする画像処理装置。
【請求項８】
画像情報と、前記画像情報に埋め込まれた前記画像情報を印刷した媒体をページめくりする際の軸である閲覧軸の位置とを取得する画像情報取得手段と、
前記画像情報に対して設定する処理条件である様式情報のうち、前記画像情報取得手段によって取得された前記閲覧軸の位置によって設定できる前記様式情報を限定する様式限定手段と、
前記様式限定手段によって限定された前記様式情報の入力を受付ける様式受付手段と、
を備えることを特徴とする画像処理装置。
【請求項９】
画像情報からなる文書を識別する文書識別情報と、前記画像情報を印刷した媒体をページめくりする際の軸である閲覧軸の位置とを対応付けて記憶する文書情報記憶手段と、
前記画像情報と、前記画像情報に埋め込まれた前記文書識別情報を取得する画像情報取得手段と、
前記文書情報記憶手段から、前記画像情報取得手段によって取得された前記文書識別情報に対応する前記閲覧軸の位置を取得する閲覧軸取得手段と、
前記画像情報に対して設定する処理条件である様式情報のうち、前記閲覧軸取得手段によって取得された前記閲覧軸の位置によって設定できる前記様式情報を限定する様式限定手段と、
前記様式限定手段によって限定された前記様式情報の入力を受付ける様式受付手段と、
を備えることを特徴とする画像処理装置。
【請求項１０】
前記閲覧軸を、前記画像情報取得手段によって取得された前記画像情報上に表示する閲覧軸表示手段、をさらに備えることを特徴とする請求項１〜９のいずれか一つに記載の画像処理装置。
【請求項１１】
前記閲覧軸表示手段によって表示されている前記閲覧軸の位置を、新たな位置を指示することにより変更する閲覧軸変更手段、をさらに備え、
前記様式限定手段は、前記様式情報のうち、前記閲覧軸変更手段によって変更された前記閲覧軸の位置によって設定できる前記様式情報を限定すること、を特徴とする請求項１０に記載の画像処理装置。
【請求項１２】
前記閲覧軸判定手段によって判定される前記閲覧軸の位置は、前記画像情報を正立するように印刷した前記媒体に対して、左上部、右上部、左端部、右端部または上端部のいずれか一つであること、を特徴とする請求項１〜１０のいずれか一つに記載の画像処理装置。
【請求項１３】
請求項１〜１２のいずれか一つに記載された画像処理装置によって設定された前記様式情報に基づいて前記画像情報を前記媒体に印刷することを特徴とする画像形成装置。
【請求項１４】
画像情報を取得する画像情報取得ステップと、
前記画像情報取得ステップによって取得された前記画像情報から、前記画像情報を印刷した媒体のページめくりの軸である閲覧軸の位置を限定する特性を示す書式情報を判定する書式判定ステップと、
前記書式判定ステップによって判定された前記書式情報に基づいて、前記閲覧軸の位置を判定する閲覧軸判定ステップと、
前記閲覧軸の位置と、前記画像情報に対して設定する処理条件である様式情報とを対応付けて記憶する様式記憶手段から、前記閲覧軸判定ステップによって判定された前記閲覧軸の位置に対応付けられた前記様式情報を取得し、取得された前記様式情報に限定する様式限定ステップと、
前記様式限定ステップによって限定された前記様式情報の入力を受付ける様式受付ステップと、
を有することを特徴とする出力様式設定方法。
【請求項１５】
前記書式判定ステップによって判定された前記書式情報は、少なくとも、前記画像情報に含まれる文字が縦書きまたは横書きのいずれか一方である旨を示す行情報と、両面印刷の場合に奇数頁と偶数頁と天地が同一か逆かを示す天地情報のいずれか一つを含むこと、を特徴とする請求項１４に記載の出力様式設定方法。
【請求項１６】
前記様式受付ステップによって受け付けられた前記様式情報は、少なくとも、前記画像情報を媒体に印刷する際の前記画像情報を両面印刷するか片面印刷するかを示す印刷情報と、印刷された媒体を綴じる方向を示す綴じ方向情報のいずれか一つを含むこと、を特徴とする請求項１４または請求項１５に記載の出力様式設定方法。
【請求項１７】
前記閲覧軸判定ステップは、前記書式情報に加えて前記様式受付ステップによって受け付けられた前記様式情報に基づいて、前記閲覧軸の位置を判定すること、を特徴とする請求項１４〜１６のいずれか一つに記載の出力様式設定方法。
【請求項１８】
前記閲覧軸判定ステップは、前記書式情報に加えて前記様式受付ステップによって受け付けられた前記様式情報の一部に基づいて、前記閲覧軸の位置を判定すること、を特徴とする請求項１４〜１６のいずれか一つに記載の出力様式設定方法。
【請求項１９】
画像情報を取得する画像情報取得ステップと、
前記画像情報取得ステップによって取得された前記画像情報を表示する画像表示ステップと、
前記画像表示ステップによって表示された前記画像情報に対して前記画像情報を印刷した媒体をページめくりする際の軸である閲覧軸の位置の入力を受付ける閲覧軸受付ステップと、
前記画像情報に対して設定する処理条件である様式情報のうち、前記閲覧軸受付ステップによって受け付けられた前記閲覧軸の位置によって設定できる前記様式情報を限定する様式限定ステップと、
前記様式限定ステップによって限定された前記様式情報の入力を受付ける様式受付ステップと、
を有することを特徴とする出力様式設定方法。
【請求項２０】
画像情報と、前記画像情報に埋め込まれた前記画像情報を印刷した媒体をページめくりする際の軸である閲覧軸の位置とを取得する画像情報取得ステップと、
前記画像情報に対して設定する処理条件である様式情報のうち、前記画像情報取得ステップによって取得された前記閲覧軸の位置によって設定できる前記様式情報を限定する様式限定ステップと、
前記様式限定ステップによって限定された前記様式情報の入力を受付ける様式受付ステップと、
を有することを特徴とする出力様式設定方法。
【請求項２１】
画像情報と、前記画像情報に埋め込まれた前記文書識別情報を取得する画像情報取得ステップと、
前記画像情報からなる文書を識別する文書識別情報と、前記画像情報を印刷した媒体をページめくりする際の軸である閲覧軸の位置とを対応付けて記憶する文書情報記憶手段から、前記画像情報取得ステップによって取得された前記文書識別情報に対応する前記閲覧軸の位置を取得する閲覧軸取得ステップと、
前記画像情報に対して設定する処理条件である様式情報のうち、前記閲覧軸取得ステップによって取得された前記閲覧軸の位置によって設定できる前記様式情報を限定する様式限定ステップと、
前記様式限定ステップによって限定された前記様式情報の入力を受付ける様式受付ステップと、
を有することを特徴とする出力様式設定方法。
【請求項２２】
前記閲覧軸を、前記画像情報取得手段によって取得された前記画像情報上に表示する閲覧軸表示ステップ、をさらに有することを特徴とする請求項１４〜２１のいずれか一つに記載の出力様式設定方法。
【請求項２３】
前記閲覧軸表示ステップによって表示されている前記閲覧軸の位置を、新たな位置を指示することにより変更する閲覧軸変更ステップ、をさらに有し、
前記様式限定ステップは、前記様式情報のうち、前記閲覧軸変更ステップによって変更された前記閲覧軸の位置によって設定できる前記様式情報を限定すること、を特徴とする請求項２２に記載の出力様式設定方法。
【請求項２４】
前記閲覧軸判定ステップによって判定される前記閲覧軸の位置は、前記画像情報を正立するように印刷した前記媒体に対して、左上部、右上部、左端部、右端部または上端部のいずれか一つであること、を特徴とする請求項１４〜２３のいずれか一つに記載の出力様式設定方法。
【請求項２５】
請求項１４〜２４のいずれか一つに記載された出力様式設定方法をコンピュータに実行させることを特徴とする出力様式設定プログラム。
【発明の詳細な説明】
【技術分野】
【０００１】
本発明は、画像処理装置、画像形成装置、出力様式設定方法および出力様式設定プログラムに関する。
【背景技術】
【０００２】
従来、画像情報を処理する装置として、スキャナや複写機、ファクシミリ装置、複合機等が一般に知られている。これらの装置は、様々な機能を備えているが、それらの機能を設定するためには膨大なメニュー項目から設定したい機能を選び出して設定する必要があるため、操作が煩雑であるという問題があった。
【０００３】
このような問題を解決するものとして、原稿の特性から選択できるメニュー項目を絞り込んで表示する画像形成装置が開示されている（特許文献１参照）。かかる画像形成装置では、スキャナ等から原稿を読込み、読込んだ画像情報の特性を判別する。さらに、判別された特性によって表示する項目を絞り込むことにより、読込んだ画像情報に対して選択可能な項目のみが表示され、利用者はすべての項目が表示される場合に比べ、より容易に項目を選択することができる。
【０００４】
【特許文献１】特開２００６−３５６８号公報
【発明の開示】
【発明が解決しようとする課題】
【０００５】
しかしながら、上記特許文献１に記載された技術では、すべてのメニュー項目が表示される場合に比べれば容易に設定したい項目を選択できるものの、読込んだ画像情報から選択することができる項目のすべてが表示されるため、依然として利用者にとっての選択肢が多く、画像データに対する処理条件の設定をより容易にすることができなかった。
【０００６】
本発明は、上記に鑑みてなされたものであって、画像データに対する処理条件を容易に設定できる画像処理装置、画像形成装置、出力様式設定方法および出力様式設定プログラムを提供することを目的とする。
【課題を解決するための手段】
【０００７】
上述した課題を解決し、目的を達成するために、請求項１にかかる発明は、画像情報を取得する画像情報取得手段と、前記画像情報取得手段によって取得された前記画像情報から、前記画像情報を印刷した媒体のページめくりの軸である閲覧軸の位置を限定する特性を示す書式情報を判定する書式判定手段と、前記書式判定手段によって判定された前記書式情報に基づいて、前記閲覧軸の位置を判定する閲覧軸判定手段と、前記画像情報に対して設定する処理条件である様式情報のうち、前記閲覧軸判定手段によって判定された前記閲覧軸の位置によって設定できる前記様式情報を限定する様式限定手段と、前記様式限定手段によって限定された前記様式情報の入力を受付ける様式受付手段と、を備えることを特徴とする。
【０００８】
また、請求項２にかかる発明は、請求項１に記載の画像処理装置において、前記閲覧軸の位置と、前記様式情報とを対応付けて記憶する様式記憶手段、をさらに備え、前記様式限定手段は、前記様式記憶手段から、前記閲覧軸判定手段によって判定された前記閲覧軸の位置に対応付けられた前記様式情報を取得し、取得された前記様式情報に限定すること、を特徴とする。
【０００９】
また、請求項３にかかる発明は、請求項１または請求項２に記載の画像処理装置において、前記書式判定手段によって判定された前記書式情報は、少なくとも、前記画像情報に含まれる文字が縦書きまたは横書きのいずれか一方である旨を示す行情報と、両面印刷の場合に奇数頁と偶数頁と天地が同一か逆かを示す天地情報のいずれか一つを含むこと、を特徴とする。
【００１０】
また、請求項４にかかる発明は、請求項１〜３のいずれか一つに記載の画像処理装置において、前記様式受付手段によって受け付けられた前記様式情報は、少なくとも、前記画像情報を媒体に印刷する際の前記画像情報を両面印刷するか片面印刷するかを示す印刷情報と、印刷された媒体を綴じる方向を示す綴じ方向情報のいずれか一つを含むこと、を特徴とする。
【００１１】
また、請求項５にかかる発明は、請求項１〜４のいずれか一つに記載の画像処理装置において、前記閲覧軸判定手段は、前記書式情報に加えて前記様式受付手段によって受け付けられた前記様式情報に基づいて、前記閲覧軸の位置を判定すること、を特徴とする。
【００１２】
また、請求項６にかかる発明は、請求項１〜４のいずれか一つに記載の画像処理装置において、前記閲覧軸判定手段は、前記書式情報に加えて前記様式受付手段によって受け付けられた前記様式情報の一部に基づいて、前記閲覧軸の位置を判定すること、を特徴とする。
【００１３】
また、請求項７にかかる発明は、画像情報を取得する画像情報取得手段と、前記画像情報取得手段によって取得された前記画像情報を表示する画像表示手段と、前記画像表示手段によって表示された前記画像情報に対して前記画像情報を印刷した媒体をページめくりする際の軸である閲覧軸の位置の入力を受付ける閲覧軸受付手段と、前記画像情報に対して設定する処理条件である様式情報のうち、前記閲覧軸受付手段によって受け付けられた前記閲覧軸の位置によって設定できる前記様式情報を限定する様式限定手段と、前記様式限定手段によって限定された前記様式情報の入力を受付ける様式受付手段と、を備えることを特徴とする。
【００１４】
また、請求項８にかかる発明は、画像情報と、前記画像情報に埋め込まれた前記画像情報を印刷した媒体をページめくりする際の軸である閲覧軸の位置とを取得する画像情報取得手段と、前記画像情報に対して設定する処理条件である様式情報のうち、前記画像情報取得手段によって取得された前記閲覧軸の位置によって設定できる前記様式情報を限定する様式限定手段と、前記様式限定手段によって限定された前記様式情報の入力を受付ける様式受付手段と、を備えることを特徴とする。
【００１５】
また、請求項９にかかる発明は、画像情報からなる文書を識別する文書識別情報と、前記画像情報を印刷した媒体をページめくりする際の軸である閲覧軸の位置とを対応付けて記憶する文書情報記憶手段と、前記画像情報と、前記画像情報に埋め込まれた前記文書識別情報を取得する画像情報取得手段と、前記文書情報記憶手段から、前記画像情報取得手段によって取得された前記文書識別情報に対応する前記閲覧軸の位置を取得する閲覧軸取得手段と、前記画像情報に対して設定する処理条件である様式情報のうち、前記閲覧軸取得手段によって取得された前記閲覧軸の位置によって設定できる前記様式情報を限定する様式限定手段と、前記様式限定手段によって限定された前記様式情報の入力を受付ける様式受付手段と、を備えることを特徴とする。
【００１６】
また、請求項１０にかかる発明は、請求項１〜９のいずれか一つに記載の画像処理装置において、前記閲覧軸を、前記画像情報取得手段によって取得された前記画像情報上に表示する閲覧軸表示手段、をさらに備えることを特徴とする。
【００１７】
また、請求項１１にかかる発明は、請求項１０に記載の画像処理装置において、前記閲覧軸表示手段によって表示されている前記閲覧軸の位置を、新たな位置を指示することにより変更する閲覧軸変更手段、をさらに備え、前記様式限定手段は、前記様式情報のうち、前記閲覧軸変更手段によって変更された前記閲覧軸の位置によって設定できる前記様式情報を限定すること、を特徴とする。
【００１８】
また、請求項１２にかかる発明は、請求項１〜１０のいずれか一つに記載の画像処理装置において、前記閲覧軸判定手段によって判定される前記閲覧軸の位置は、前記画像情報を正立するように印刷した前記媒体に対して、左上部、右上部、左端部、右端部または上端部のいずれか一つであること、を特徴とする。
【００１９】
また、請求項１３にかかる発明は、画像形成装置において、請求項１〜１２のいずれか一つに記載された画像処理装置によって設定された前記様式情報に基づいて前記画像情報を前記媒体に印刷することを特徴とする。
【００２０】
また、請求項１４にかかる発明は、画像情報を取得する画像情報取得ステップと、前記画像情報取得ステップによって取得された前記画像情報から、前記画像情報を印刷した媒体のページめくりの軸である閲覧軸の位置を限定する特性を示す書式情報を判定する書式判定ステップと、前記書式判定ステップによって判定された前記書式情報に基づいて、前記閲覧軸の位置を判定する閲覧軸判定ステップと、前記閲覧軸の位置と、前記画像情報に対して設定する処理条件である様式情報とを対応付けて記憶する様式記憶手段から、前記閲覧軸判定ステップによって判定された前記閲覧軸の位置に対応付けられた前記様式情報を取得し、取得された前記様式情報に限定する様式限定ステップと、前記様式限定ステップによって限定された前記様式情報の入力を受付ける様式受付ステップと、を有することを特徴とする。
【００２１】
また、請求項１５にかかる発明は、請求項１４に記載の出力様式設定方法において、前記書式判定ステップによって判定された前記書式情報は、少なくとも、前記画像情報に含まれる文字が縦書きまたは横書きのいずれか一方である旨を示す行情報と、両面印刷の場合に奇数頁と偶数頁と天地が同一か逆かを示す天地情報のいずれか一つを含むこと、を特徴とする。
【００２２】
また、請求項１６にかかる発明は、請求項１４または請求項１５に記載の出力様式設定方法において、前記様式受付ステップによって受け付けられた前記様式情報は、少なくとも、前記画像情報を媒体に印刷する際の前記画像情報を両面印刷するか片面印刷するかを示す印刷情報と、印刷された媒体を綴じる方向を示す綴じ方向情報のいずれか一つを含むこと、を特徴とする。
【００２３】
また、請求項１７にかかる発明は、請求項１４〜１６のいずれか一つに記載の出力様式設定方法において、前記閲覧軸判定ステップは、前記書式情報に加えて前記様式受付ステップによって受け付けられた前記様式情報に基づいて、前記閲覧軸の位置を判定すること、を特徴とする。
【００２４】
また、請求項１８にかかる発明は、請求項１４〜１６のいずれか一つに記載の出力様式設定方法において、前記閲覧軸判定ステップは、前記書式情報に加えて前記様式受付ステップによって受け付けられた前記様式情報の一部に基づいて、前記閲覧軸の位置を判定すること、を特徴とする。
【００２５】
また、請求項１９にかかる発明は、画像情報を取得する画像情報取得ステップと、前記画像情報取得ステップによって取得された前記画像情報を表示する画像表示ステップと、前記画像表示ステップによって表示された前記画像情報に対して前記画像情報を印刷した媒体をページめくりする際の軸である閲覧軸の位置の入力を受付ける閲覧軸受付ステップと、前記画像情報に対して設定する処理条件である様式情報のうち、前記閲覧軸受付ステップによって受け付けられた前記閲覧軸の位置によって設定できる前記様式情報を限定する様式限定ステップと、前記様式限定ステップによって限定された前記様式情報の入力を受付ける様式受付ステップと、を有することを特徴とする。
【００２６】
また、請求項２０にかかる発明は、画像情報と、前記画像情報に埋め込まれた前記画像情報を印刷した媒体をページめくりする際の軸である閲覧軸の位置とを取得する画像情報取得ステップと、前記画像情報に対して設定する処理条件である様式情報のうち、前記画像情報取得ステップによって取得された前記閲覧軸の位置によって設定できる前記様式情報を限定する様式限定ステップと、前記様式限定ステップによって限定された前記様式情報の入力を受付ける様式受付ステップと、を有することを特徴とする。
【００２７】
また、請求項２１にかかる発明は、画像情報と、前記画像情報に埋め込まれた前記文書識別情報を取得する画像情報取得ステップと、前記画像情報からなる文書を識別する文書識別情報と、前記画像情報を印刷した媒体をページめくりする際の軸である閲覧軸の位置とを対応付けて記憶する文書情報記憶手段から、前記画像情報取得ステップによって取得された前記文書識別情報に対応する前記閲覧軸の位置を取得する閲覧軸取得ステップと、前記画像情報に対して設定する処理条件である様式情報のうち、前記閲覧軸取得ステップによって取得された前記閲覧軸の位置によって設定できる前記様式情報を限定する様式限定ステップと、前記様式限定ステップによって限定された前記様式情報の入力を受付ける様式受付ステップと、を有することを特徴とする。
【００２８】
また、請求項２２にかかる発明は、請求項１４〜２１のいずれか一つに記載の出力様式設定方法において、前記閲覧軸を、前記画像情報取得手段によって取得された前記画像情報上に表示する閲覧軸表示ステップ、をさらに有することを特徴とする。
【００２９】
また、請求項２３にかかる発明は、請求項２２に記載の出力様式設定方法において、前記閲覧軸表示ステップによって表示されている前記閲覧軸の位置を、新たな位置を指示することにより変更する閲覧軸変更ステップ、をさらに有し、前記様式限定ステップは、前記様式情報のうち、前記閲覧軸変更ステップによって変更された前記閲覧軸の位置によって設定できる前記様式情報を限定すること、を特徴とする。
【００３０】
また、請求項２４にかかる発明は、請求項１４〜２３のいずれか一つに記載の出力様式設定方法において、前記閲覧軸判定ステップによって判定される前記閲覧軸の位置は、前記画像情報を正立するように印刷した前記媒体に対して、左上部、右上部、左端部、右端部または上端部のいずれか一つであること、を特徴とする。
【００３１】
また、請求項２５にかかる発明は、請求項１４〜２４のいずれか一つに記載された出力様式設定方法をコンピュータに実行させることを特徴とする。
【発明の効果】
【００３２】
本発明によれば、画像情報に対する出力様式を閲覧軸の位置によって絞り込まれた様式情報から選択することができるため、画像情報に対して容易に出力様式を設定することができるという効果を奏する。
【発明を実施するための最良の形態】
【００３３】
以下に添付図面を参照して、本発明にかかる画像処理装置、画像形成装置、出力様式設定方法および出力様式設定プログラムの最良な実施の形態を詳細に説明する。なお、本発明はこれらの実施の形態に限定されるものではない。
【００３４】
（第１の実施の形態）
第１の実施の形態について、添付図面を参照して説明する。本実施の形態は、画像処理装置として、コピー機能、ファクシミリ（ＦＡＸ）機能、プリント機能、スキャナ機能及び入力画像（スキャナ機能により読取られた原稿画像や、プリンタあるいはＦＡＸ機能により入力された画像）を配信する機能等を複合したいわゆる複合機を適用した例である。
【００３５】
図１は、第１の実施の形態にかかる複合機の構成を示すブロック図である。本実施の形態にかかる複合機１００は、スキャナ１１０と、ＡＤＦ（オート・ドキュメント・フィーダ）１１１と、スキャナコントローラ１１２と、画像記憶部１２０と、画像処理部１３０と、プリンタ１４０と、プリンタコントローラ１４２と、仕上げ処理部１４１と、操作表示部１５０と、操作表示制御部１５１と、システム制御部１６０と、通信制御部１７０と、閲覧軸判定データベース１８０と、出力様式データベース１９０とを備えている。また、複合機１００は、通信制御部１７０を介してネットワーク２０と接続されている。そして、複合機１００は、原稿１の画像を読み取って画像処理を施した後、印刷物２として出力する。
【００３６】
システム制御部１６０は、各構成部と接続されていて、複合機１００全体の制御を行うものである。例えば、選択されている用紙サイズに対して適切な走査領域情報をスキャナ１１０に提供するなどの制御である。このシステム制御部１６０は、不図示のＣＰＵ（Central Processing Unit）、ＲＯＭ（Read Only Memory）、ＲＡＭ（Random Access Memory）などから構成されており、ＣＰＵがＲＯＭに格納されたプログラムに基づいてＲＡＭのワーク領域を利用しながら動作することにより、各種処理が実行される。
【００３７】
なお、複合機１００で実行されるプログラムは、インストール可能な形式又は実行可能な形式のファイルでＣＤ−ＲＯＭ、フレキシブルディスク（ＦＤ）、ＣＤ−Ｒ、ＤＶＤ（digital Versatile Disk）等のコンピュータで読み取り可能な記録媒体に記録されて提供されてもよい。この場合、システム制御部１６０のＣＰＵが上記記憶媒体からプログラムを読み出して主記憶装置（図示せず）上にロードすることで、複合機１００に各種の機能を実現させる。また、プログラムを、インターネット等のネットワーク２０に接続されたコンピュータ上に格納し、ネットワーク経由でダウンロードさせることにより提供するようにしてもよい。または、プログラムをインターネット等のネットワーク経由で提供若しくは配布するようにしてもよい。
【００３８】
通信制御部１７０は、ＬＡＮ（ローカル・エリア・ネットワーク）やインターネットなどのネットワーク２０と接続され、通信プロトコルに従ってネットワークに接続された他の機器との間で画像データや制御データ等のやり取りを行うものである。
【００３９】
スキャナ１１０は、スキャナコントローラ１１２に制御され、原稿１のイメージをデジタル画像データに変換する。なお、ＡＤＦ１１１は、セットされた複数ページの原稿をスキャナ１１０の読取位置に１枚ずつ順に繰り出すことができる。ＡＤＦ１１１を用いることにより、スキャナ１１０は複数ページの原稿を連続して自動的に読み込みを行うことができる。また、ＡＤＦ１１１は、用紙の片面に印刷された片面原稿だけでなく、両面に印刷された両面原稿を反転させてスキャナ１１０に送り出すことができるので、スキャナ１１０に両面原稿を読み込ませることが可能である。スキャナコントローラ１１２は、システム制御部１６０の命令を受け、スキャナ１１０を制御する。
【００４０】
画像記憶部１２０は、システム制御部１６０の命令を受け、スキャナ１１０で読み取った画像データや、ネットワーク２０を介して外部から入力された画像データ等を一時的に保存しておくバッファメモリである。本実施の形態の複合機１００は、自身の備えるスキャナ１１０から読み取った画像データ及び、ネットワーク２０を介するなどして外部から入力された画像データのいずれをも処理して画像形成することができる。
【００４１】
画像処理部１３０は、スキャナ１１０から送られて画像記憶部１２０に一時的に保存された多値データに対して、システム制御部１６０の命令を受け、γ補正やＭＴＦ補正処理等を施した後、スライス処理やディザ処理のような階調処理を施して２値（または多値）化処理を施す。また、画像処理部１３０は、利用者が設定した機能に対応した各種の画像処理（拡大／縮小、濃度／色の調整など）、画像領域編集処理（領域削除、領域移動、領域反転など）やレイアウト加工処理（両面印刷／片面印刷、集約印刷、余白サイズの調整など）、仕上がり状態を示すプレビュー画像の生成処理などを行う。
【００４２】
プリンタ１４０は、プリンタコントローラ１４２に制御され、画像処理部１３０で処理された画像データに基づいて光ビームを偏向走査させ、感光体上に形成した静電潜像にトナーを使って現像し、生成されたトナー画像を転写紙に転写して、定着処理を行う電子写真技術を用いたプリンタである。なお、プリンタ１４０の印刷方式は、電子写真方式のほか、インクジェット方式、昇華型熱転写方式、銀塩写真方式、直接感熱記録方式、溶融型熱転写方式など、様々な方式を用いることができる。プリンタコントローラ１４２は、システム制御部１６０の命令を受けてプリンタ１４０を制御する。
【００４３】
プリンタ１４０は、仕上げ処理部１４１を搭載している。仕上げ処理部１４１は、自動設定あるいは利用者による設定を受け付けて、印刷処理が施された印刷物２を部数やページ単位で仕分けするソート処理、印刷媒体に対して所定のスタンプを押印するスタンプ処理、複数枚の印刷媒体を揃えてステープルで綴じるステープル処理、あるいは複数枚の印刷媒体をバインダやファイルに綴じるためのパンチ穴をあけるパンチ処理等の仕上げ処理を行う。
【００４４】
操作表示制御部１５１は、システム制御部１６０の命令を受けて操作表示部１５０の入出力を制御する。例えば、操作表示制御部１５１は、画像処理部１３０によって処理されたプレビュー画像、プレビュー画像上に閲覧軸および閲覧軸の位置によって限定された出力様式メニューを操作表示部１５０が備えているタッチパネル１５０ａおよび表示パネル１５０ｂに出力制御する。また、操作表示制御部１５１は、タッチパネル１５０ａの入力制御を行う。なお、表示パネル１５０ｂとタッチパネル１５０ａは図面上別々に記載されているが、ここでは一体的に構成する。
【００４５】
操作表示制御部１５１は、さらに書式判定部１５２と、閲覧軸判定部１５３と、出力様式メニュー生成部１５４とを備える。書式判定部１５２は、画像記憶部１２０に記憶された画像データを取得し、取得した画像データから書式情報を判定する。ここで、書式情報とは、画像データを印刷した媒体のページめくりの軸である閲覧軸の位置を限定する特性を示す情報であり、後述する閲覧軸判定部１５３において閲覧軸の位置を判定するに用いられる情報である。具体的に、書式情報とは、画像データに含まれる文字が縦書きまたは横書きのいずれか一方である旨を示す行情報、画像データの奇数頁と偶数頁で天地が同一か逆かを示す天地情報である。なお、本実施の形態において、行情報は縦書きフラグ（Ｆ３）であり、縦書きフラグの値は、文字が縦書きの場合が１、文字が横書きの場合が０である。また、本実施の形態において、天地情報は天地フラグ（Ｆ２）であり、天地フラグの値は、奇数頁と偶数頁と天地が逆の場合は１、奇数頁と偶数頁と天地が同一の場合は０である。
【００４６】
閲覧軸判定データベース１８０は、画像データの書式情報、または画像データの書式情報と操作表示制御部１５１によって取得された画像データに対する設定値から、閲覧軸の位置を判定するための判定ルールを格納する。図２は、閲覧軸判定データベースのデータ構成の一例を示す説明図である。図２に示すように、閲覧軸判定データベース１８０は、各フラグの値と、その値によって判定される閲覧軸の位置を対応付けて記憶する。天地フラグと縦書きフラグは、上述したように書式判定部１５２によって画像データから判定される。両面フラグと左パンチフラグ、上パンチフラグ、右パンチフラグは、操作表示制御部１５１によって取得される設定値から判定される。
【００４７】
なお、両面フラグは、画像データを媒体に出力する際に画像データを両面印刷するか片面印刷するかを示すものであり、両面フラグの値は、両面印刷の場合が１で、片面印刷の場合が０である。また、左パンチフラグ、上パンチフラグ、右パンチフラグは、出力媒体に対してパンチを施す位置を示し、３つのフラグは複数同時に１を採らない。また、天地フラグの値が１を取り得るのは、両面フラグが１の場合のみである。すなわち、片面原稿でかつ両面印刷が設定される場合は、天地フラグは０が設定される。閲覧軸の位置が左斜めまたは右斜めと判定されるのは、両面フラグが０、すなわち片面印刷の場合のみであり、斜め閲覧軸は他の閲覧軸に優先する。図２で閲覧軸を判定できない場合は、閲覧軸不定（エラー）とする。また、両面フラグは、本発明にかかる印刷情報であり、左パンチフラグ、上パンチフラグ、右パンチフラグは、本発明にかかる綴じ方向情報である。なお、綴じ方向情報とは、出力された媒体を綴じる方向を示すものである。
【００４８】
閲覧軸判定部１５３は、閲覧軸判定データベース１８０に記憶された、書式判定部１５２によって判定された書式情報に対応する判定ルールに従って画像データの閲覧軸の位置を判定する。また、閲覧軸判定部１５３は、閲覧軸判定データベース１８０に記憶された、書式判定部１５２によって判定された書式情報および操作表示制御部１５１によって取得された様式情報に対応する判定ルールに従って画像データの閲覧軸の位置を判定する。ここで、閲覧軸は、画像データを印刷した媒体をページめくりする際の軸であり、閲覧軸の位置は、画像データが正立するように印刷した媒体に対して、左上部、右上部、左端部、右端部または上端部のいずれかである。画像データが正立するとは、画像データに含まれる文字の傾きが横向きや逆向きでなく、ほぼ０度である状態をいう。なお、本実施の形態では、閲覧軸の位置の左上部を左斜め、右上部を右斜め、左端部を左、右端部を右、上端部を上と示している。また、様式情報とは、画像データに対して設定された出力様式、すなわち画像データや印刷物に対して施される処理内容である。
【００４９】
図３〜図８は、操作表示部に表示されたプレビュー画像と閲覧軸の一例を示す説明図である。図３では、横書きの画像データのプレビュー画像３２に対して左に閲覧軸３１が設定されている場合を示す。出力様式メニュー３３は、画像データに対して設定可能な処理項目を表示する。ページスクローラ３４は、操作表示部に表示するプレビュー画像のページを指定する。印刷指示メニュー３５は、印刷部数と印刷の開始を指示する。
【００５０】
図４は、縦書きの画像データのプレビュー画像３２に対して右に閲覧軸３１が設定されている場合を示す。図５は、横書きの画像データのプレビュー画像３２に対して左斜めに閲覧軸３１が設定されている場合を示す。図６は、縦書きの画像データのプレビュー画像３２に対して右斜めに閲覧軸３１が設定されている場合を示す。図７は、横書きの画像データのプレビュー画像３２に対して上に閲覧軸３１が設定されている場合を示す。図８は、縦書きの画像データのプレビュー画像３２に対して上に閲覧軸３１が設定されている場合を示す。
【００５１】
出力様式データベース１９０は、閲覧軸の位置に対応して設定可能な設定項目および設定値を格納する。図９は、出力様式データベースのデータ構成の一例を示す説明図である。出力様式データベース１９０は、閲覧軸の位置と、設定可能な設定項目および項目値とを対応付けて記憶している。図９に示すように、閲覧軸の位置が“左斜め”の場合、ステープラは“左斜め”、パンチは“なし”が設定されている。
【００５２】
出力様式メニュー生成部１５４は、出力様式データベース１９０から、閲覧軸判定部１５３によって判定された閲覧軸の位置に対応する設定項目および設定値を取得し、出力様式メニューを生成する。例えば、閲覧軸の位置が“左斜め”の場合、出力様式データベース１９０から、ステープラは“左斜め”、パンチは“なし”が取得される。この場合は、操作表示制御部１５１によって図５に示すような画面が表示される。画面上からステープルを指示された場合には、さらにステープルの位置を画面上で指示することなく、出力様式データベース１９０に格納されているステープルの設定値である“左斜め”のステープルが選択され、画面上にプレビュー画像の左斜めの位置にステープルが表示される。また、パンチについては、選択自体が不可であるため、メニュー上に表示されない。このように、閲覧軸の位置が設定されることにより、利用者が選択可能な設定項目および設定値が限定されて表示されるため、膨大なメニュー項目が表示されることない。よって、利用者は、意図した設定項目および設定値を煩雑な操作なく容易に設定することができる。出力様式メニュー生成部１５４は、本発明にかかる様式限定手段を構成する。
【００５３】
タッチパネル１５０ａは、パネル上に、電気的あるいは磁気的にポインタの接触する位置を検出する。タッチパネル１５０ａに対する指定手段（図示せず）としては、人間の指先、スタイラスペン、その他の接触入力具（以下、ポインタという）が適用可能である。すなわち、利用者は、タッチパネル１５０ａに対してこのようなポインタを介して接触することにより印刷条件を含む各種項目を入力する。
【００５４】
なお、本実施の形態においては、タッチパネル１５０ａに対する接触入力を例に挙げて説明するが、必ずしも接触入力のみが本発明の実施の形態ではない。例えば、操作表示部１５０は、タッチパネル１５０ａの他に利用者による物理的なキーの押下を受付けて入力を行うハードキーを備え、印刷実行などの指示を与えるようにしてもよい。また、表示パネル１５０ｂは、複合機１００が備える専有の表示装置を用いてもよい。
【００５５】
操作表示部１５０は、操作表示制御部１５１に制御され、タッチパネル１５０ａを介して設定内容の入力を受付け、プレビュー画像、画像データの処理条件を設定するためのメニュー項目等を表示手段である表示パネル１５０ｂに表示する。
【００５６】
また、操作表示部１５０は、複合機１００で実行したい機能を設定画面のメニュー項目として表示し、表示されたメニュー項目の中から利用者による設定入力を受付け、項目値を取得する。すなわち、操作表示部１５０は、ポインタがタッチパネル１５０ａに接触すると、押圧された部分の座標を検出する。選択可能領域における接触であることが検出されると、該当する項目が選択されたものとして、設定されている項目値を受付ける。
【００５７】
次に、以上のように構成されている複合機１００による出力様式設定・出力処理について説明する。図１０−１、図１０−２は、スキャナ、書式判定部、閲覧軸判定部、出力様式メニュー生成部、操作表示制御部、プリンタコントローラ、仕上げ処理部が行う出力様式設定・出力処理手順を示すフローチャートである。
【００５８】
まず、スキャナ１１０は、原稿１を読取り、画像データを取得する（ステップＳ１００１）。スキャナ１１０は、取得した画像データを画像記憶部１２０に格納する（ステップＳ１００２）。書式判定部１５２は、画像記憶部１２０から画像データを取得し、取得した画像データから書式情報を判定する（ステップＳ１００３）。閲覧軸判定部１５３は、判定された書式情報から閲覧軸の位置を判定する（ステップＳ１００４）。閲覧軸判定処理の詳細は後述する。次に、出力様式メニュー生成部１５４は、出力様式メニュー生成処理を実行する（ステップＳ１００５）。出力様式メニュー生成処理の詳細は後述する。
【００５９】
操作表示制御部１５１は、画面データを生成する（ステップＳ１００６）。具体的には、図３に示すような画像データから生成されたプレビュー画像、閲覧軸、出力様式メニュー等からなる画面データを生成する。操作表示制御部１５１は、生成された画面データを操作表示部１５０に表示する（ステップＳ１００７）。操作表示制御部１５１は、閲覧軸の位置を変更するか否かを判断する（ステップＳ１００８）。閲覧軸の位置を変更しないと判断した場合は（ステップＳ１００８：Ｎｏ）、ステップＳ１０１３に進む。閲覧軸の位置を変更すると判断した場合は（ステップＳ１００８：Ｙｅｓ）、操作表示制御部１５１はプレビュー画像上の指示による閲覧軸の位置の変更を受付ける（ステップＳ１００９）。出力様式メニュー生成部１５４は、変更された閲覧軸の位置に対応する出力様式メニュー生成処理を実行する（ステップＳ１０１０）。操作表示制御部１５１は、画面データを生成し（ステップＳ１０１１）、生成された画像データを操作表示部１５０に表示する（ステップＳ１０１２）。
【００６０】
操作表示制御部１５１は、出力様式の入力があるか否かを判断する（ステップＳ１０１３）。出力様式の入力がないと判断した場合は（ステップＳ１０１３：Ｎｏ）、ステップＳ１０１７に進む。出力様式の入力があると判断した場合は（ステップＳ１０１３：Ｙｅｓ）、操作表示制御部１５１は出力様式を取得する（ステップＳ１０１４）。具体的には、操作表示部１５０に表示された出力様式メニューから設定項目を指示し、さらに設定項目に対応した設定値を指示することにより、出力様式（様式情報）を取得する。操作表示制御部１５１は、取得された出力様式に対応する画面データを生成する（ステップＳ１０１５）。操作表示制御部１５１は、生成された画面データを操作表示部１５０に表示する（ステップＳ１０１６）。
【００６１】
操作表示制御部１５１は、画像データに対する設定が終了したか否かを判断する（ステップＳ１０１７）。具体的には、印刷指示メニューが指示されたか否かで判断する。画像データに対する設定が終了していないと判断した場合は（ステップＳ１０１７：Ｎｏ）、ステップＳ１００８に戻る。画像データに対する設定が終了したと判断した場合は（ステップＳ１０１７：Ｙｅｓ）、画像処理部１３０は画像データを設定された出力様式に従って画像処理する（ステップＳ１０１８）。画像処理部１３０は、画像処理された画像データおよび閲覧軸の位置を画像記憶部１２０に格納する（ステップＳ１０１９）。プリンタコントローラ１４２は、画像処理された画像データをプリンタ１４０から出力する（ステップＳ１０２０）。仕上げ処理部１４１は、出力された印刷物２に対して仕上げ処理を行う（ステップＳ１０２１）。
【００６２】
次に、閲覧軸判定部１５３による閲覧軸判定処理について説明する。図１１−１、図１１−２は、閲覧軸判定部が行う閲覧軸判定処理手順を示すフローチャートである。
【００６３】
まず、閲覧軸判定部１５３は、閲覧軸判定に用いるフラグに０を設定する（ステップＳ１１０１）。閲覧軸判定部１５３は、両面印刷が設定されているか否かを判断する（ステップＳ１１０２）。両面印刷が設定されていると判断した場合は（ステップＳ１１０２：Ｙｅｓ）、閲覧軸判定部１５３は両面フラグ（Ｆ１）に１を設定する（ステップＳ１１０３）。両面印刷が設定されていないと判断した場合は（ステップＳ１１０２：Ｎｏ）、ステップＳ１１０６に進む。
【００６４】
閲覧軸判定部１５３は、読込まれた画像データの奇数ページと偶数ページの天地が逆であるか否かを判断する（ステップＳ１１０４）。画像データの奇数ページと偶数ページの天地が逆でないと判断した場合は（ステップＳ１１０４：Ｎｏ）、ステップＳ１１０６に進む。画像データの奇数ページと偶数ページの天地が逆であると判断した場合は（ステップＳ１１０４：Ｙｅｓ）、天地フラグ（Ｆ２）に１を設定する（ステップＳ１１０５）。
【００６５】
閲覧軸判定部１５３は、読込まれた画像データの文字が縦書きであるか否かを判断する（ステップＳ１１０６）。画像データの文字が縦書きでないと判断した場合は（ステップＳ１１０６：Ｎｏ）、ステップＳ１１０８に進む。画像データの文字が縦書きであると判断した場合は（ステップＳ１１０６：Ｙｅｓ）、閲覧軸判定部１５３は縦書きフラグ（Ｆ３）に１を設定する（ステップＳ１１０７）。閲覧軸判定部１５３は、プレビュー画像に対して左側にパンチ指示があるか否かを判断する（ステップＳ１１０８）。プレビュー画像に対して左側にパンチ指示がないと判断した場合は（ステップＳ１１０８：Ｎｏ）、ステップＳ１１１０に進む。プレビュー画像に対して左側にパンチ指示があると判断した場合は（ステップＳ１１０８：Ｙｅｓ）、左パンチフラグ（Ｆ４）に１を設定する（ステップＳ１１０９）。
【００６６】
閲覧軸判定部１５３は、プレビュー画像に対して上側にパンチ指示があるか否かを判断する（ステップＳ１１１０）。プレビュー画像に対して上側にパンチ指示がないと判断した場合は（ステップＳ１１１０：Ｎｏ）、ステップＳ１１１２に進む。プレビュー画像に対して上側にパンチ指示があると判断した場合は（ステップＳ１１１０：Ｙｅｓ）、閲覧軸判定部１５３は上パンチフラグ（Ｆ５）に１を設定する（ステップＳ１１１１）。閲覧軸判定部１５３は、プレビュー画像に対して右側にパンチ指示があるか否かを判断する（ステップＳ１１１２）。プレビュー画像に対して右側にパンチ指示がないと判断した場合は（ステップＳ１１１２：Ｎｏ）、ステップＳ１１１４に進む。プレビュー画像に対して右側にパンチ指示があると判断した場合は（ステップＳ１１１２：Ｙｅｓ）、閲覧軸判定部１５３は右パンチフラグ（Ｆ６）に１を設定する（ステップＳ１１１３）。
【００６７】
閲覧軸判定部１５３は、閲覧軸判定データベース１８０から、各フラグの値に対応する閲覧軸の位置を取得する（ステップＳ１１１４）。閲覧軸判定部１５３は、閲覧軸の位置が取得できたか否かを判断する（ステップＳ１１５）。閲覧軸の位置が取得できたと判断した場合は（ステップＳ１１５：Ｙｅｓ）、処理を終了する。閲覧軸の位置が取得できていないと判断した場合は（ステップＳ１１５：Ｎｏ）、閲覧軸判定部１５３は閲覧軸の位置は不定と判定し（ステップＳ１１１６）、処理を終了する。
【００６８】
このように、画像データの書式情報や利用者によって設定された出力様式によって閲覧軸の位置を判定することにより、利用者が出力しようとする印刷物に対応した閲覧軸の位置を判定することができるため、利用者が改めて閲覧軸の位置を指示する必要がなく、利用者は閲覧軸という新たな概念を違和感なく取り入れることができる。
【００６９】
なお、６つのフラグ（Ｆ１〜Ｆ６）に対応する書式情報や出力様式のうちの一部のみに判定や設定がなされている場合であっても、ステップＳ１１０１で各フラグに規定値（０）が設定されるため、判定や設定された書式情報や出力様式についての最適な閲覧軸の位置を判定することができる。よって、書式情報のみが判定されている場合であっても、書式情報と出力様式が設定されている場合であっても、上述した処理により閲覧軸の位置を判定することができる。
【００７０】
次に、出力様式メニュー生成部１５４による出力様式メニュー生成処理について説明する。図１２は、出力様式メニュー生成部が行う出力様式メニュー生成処理手順を示すフローチャートである。
【００７１】
出力様式メニュー生成部１５４は、出力様式データベース１９０から、閲覧軸の位置に対応する出力様式、すなわち設定項目および設定値を取得する（ステップＳ１２０１）。例えば、閲覧軸の位置が“左斜め”の場合は、設定項目“ステープラ”に対応する設定値“左斜め”、設定項目“パンチ”に対応する設定値“なし”が取得される。出力様式メニュー生成部１５４は、取得された設定項目から出力様式メニューを生成する（ステップＳ１２０２）。例えば、閲覧軸の位置が“左斜め”の場合は、設定項目“ステープラ”には取り得る設定値があり、設定項目“パンチ”には取り得る設定値がないため、図５に示すように、“ステープラ”が表示され、“パンチ”が表示されない出力様式メニューが生成される。
【００７２】
このように、閲覧軸の位置によって、出力様式メニューの設定項目が限定され、さらに限定された設定項目から選択できる設定値も閲覧軸の位置に対応して限定されるため、利用者は、意図する設定を限られた設定項目や設定値から選択することができ、利用者の操作負担を軽減することができる。
【００７３】
次に、上述した図１０−１〜図１２を用いて、より具体的に処理を説明する。まず、スキャナ１１０は、原稿１を読取り、画像データを取得する（ステップＳ１００１）。ここで、原稿１は横書きであるものとする。スキャナ１１０は、取得した画像データを画像記憶部１２０に格納する（ステップＳ１００２）。書式判定部１５２は、画像記憶部１２０から画像データを取得し、取得した画像データから書式情報を判定する（ステップＳ１００３）。本例の書式情報としては、行情報が“横書き”が判定される。閲覧軸判定部１５３は、判定された書式情報から閲覧軸の位置を判定する（ステップＳ１００４）。
【００７４】
具体的には、図１１−１、図１１−２に示す処理で、閲覧軸の位置を判定する。閲覧軸判定部１５３は、閲覧軸判定に用いるフラグに０を設定する（ステップＳ１１０１）。閲覧軸判定部１５３は、両面印刷が設定されていないと判断し（ステップＳ１１０２：Ｎｏ）、ステップＳ１１０６に進む。次に、閲覧軸判定部１５３は、画像データの奇数ページと偶数ページの天地が逆でないと判断し（ステップＳ１１０４：Ｎｏ）、ステップＳ１１０６に進む。
【００７５】
閲覧軸判定部１５３は、画像データの文字が縦書きでないと判断し（ステップＳ１１０６：Ｎｏ）、ステップＳ１１０８に進む。閲覧軸判定部１５３は、プレビュー画像に対して左側にパンチ指示がないと判断し（ステップＳ１１０８：Ｎｏ）、ステップＳ１１１０に進む。閲覧軸判定部１５３は、プレビュー画像に対して上側にパンチ指示がないと判断し（ステップＳ１１１０：Ｎｏ）、ステップＳ１１１２に進む。閲覧軸判定部１５３は、プレビュー画像に対して右側にパンチ指示がないと判断した場合は（ステップＳ１１１２：Ｎｏ）、ステップＳ１１１４に進む。
【００７６】
閲覧軸判定部１５３は、閲覧軸判定データベース１８０から、各フラグの値に対応する閲覧軸の位置を取得する（ステップＳ１１１４）。この場合は、Ｆ１〜Ｆ６の値がすべて０であることから、閲覧軸の位置は“左斜め”と判定される。閲覧軸判定部１５３は、閲覧軸の位置が取得できたと判断し（ステップＳ１１１５：Ｙｅｓ）、処理を終了する。
【００７７】
次に、出力様式メニュー生成部１５４は、出力様式メニュー生成処理を実行する（ステップＳ１００５）。具体的には、図１２に示す処理で出力様式メニューを生成する。出力様式メニュー生成部１５４は、出力様式データベース１９０から、閲覧軸の位置に対応する設定項目および設定値を取得する（ステップＳ１２０１）。この場合は、閲覧軸の位置が“左斜め”であることから、設定項目“ステープラ”に対応する設定値“左斜め”、設定項目“パンチ”に対応する設定値“なし”が取得される。出力様式メニュー生成部１５４は、取得された設定項目から出力様式メニューを生成する（ステップＳ１２０２）。例えば、閲覧軸の位置が“左斜め”の場合は、設定項目“ステープラ”には取り得る設定値があり、設定項目“パンチ”には取り得る設定値がないため、“ステープラ”が表示され、“パンチ”が表示されない出力様式メニューが生成される。
【００７８】
図１０−１の処理に戻り、操作表示制御部１５１は、画面データを生成する（ステップＳ１００６）。具体的には、画像データから生成されたプレビュー画像、閲覧軸、出力様式メニュー等からなる画面データを生成する。例えば、図５に示すような画面データを生成する。操作表示制御部１５１は、生成された画面データを操作表示部１５０に表示する（ステップＳ１００７）。操作表示制御部１５１は、閲覧軸の位置を変更するか否かを判断する（ステップＳ１００８）。なお、閲覧軸の位置の変更を受付ける際には、書式情報や出力様式から候補となる閲覧軸の位置を点滅等させてもよい。閲覧軸の位置を変更しないと判断し（ステップＳ１００８：Ｎｏ）、ステップＳ１０１３に進む。
【００７９】
操作表示制御部１５１は、出力様式の入力があると判断した場合は（ステップＳ１０１３：Ｙｅｓ）、操作表示制御部１５１は出力様式を取得する（ステップＳ１０１４）。図１３は、操作表示部に表示された表示画面の一例を示す説明図である。例えば、図１３に示すように、出力様式メニューから“両面Ａ”、“集約２”を指示することにより、出力様式として“両面Ａ”、“集約２”を取得する。操作表示制御部１５１は、取得された出力様式に対応する画面データを生成する（ステップＳ１０１５）。操作表示制御部１５１は、生成された画面データを操作表示部１５０に表示する（ステップＳ１０１６）。図１４は、操作表示部に表示された表示画面の一例を示す説明図である。例えば、図１４に示すように、集約２に対応したプレビュー画像３２として画像データ２ページを１ページに集約して表示する。また、閲覧軸の位置の変更候補（閲覧軸候補）３６を表示してもよい。
【００８０】
操作表示制御部１５１は、画像データに対する設定が終了していないと判断し（ステップＳ１０１７：Ｎｏ）、ステップＳ１００８に戻る。操作表示制御部１５１は、閲覧軸の位置を変更したと判断し（ステップＳ１００８：Ｙｅｓ）、操作表示制御部１５１はプレビュー画像上の指示による閲覧軸の位置の変更を受付ける（ステップＳ１００９）。図１４に示すプレビュー画像の上部を、閲覧軸の位置として指示する。出力様式メニュー生成部１５４は、出力様式メニュー生成処理を実行する（ステップＳ１０１０）。図１２で示す処理により、閲覧軸の位置が“上”である場合の設定項目および設定値を取得し、取得した設定項目に対応する出力様式メニューを生成する。操作表示制御部１５１は、画面データを生成し（ステップＳ１０１１）、生成された画面データを操作表示部１５０に表示する（ステップＳ１０１２）。図１５は、閲覧軸の位置を変更した場合の表示画面の一例を示す説明図である。なお、図１５に示された表示画面のページスクローラ３４を指示し、次ページを表示した場合は、図１６に示すように表示される。図１６は、次ページを指示した場合の表示画面の一例を示す説明図である。
【００８１】
操作表示制御部１５１は、出力様式の入力があると判断し（ステップＳ１０１３：Ｙｅｓ）、操作表示制御部１５１は出力様式を取得する（ステップＳ１０１４）。この場合は、パンチが指示され、設定項目“パンチ”が取得される。操作表示制御部１５１は、取得された出力様式に対応する画面データを生成する（ステップＳ１０１５）。この場合は、閲覧軸の位置は“上”であるため、パンチの位置は指示されなくても上部が選択される。操作表示制御部１５１は、生成された画面データを操作表示部１５０に表示する（ステップＳ１０１６）。図１７は、パンチを指示した場合の表示画面の一例を示す説明図である。図１７に示すように、先頭ページではなく、途中のページが表示されている場合は、その表示に対応した位置にパンチ穴が表示される。
【００８２】
操作表示制御部１５１は、画像データに対する設定が終了したと判断し（ステップＳ１０１７：Ｙｅｓ）、すなわち印刷指示がされたと判断した場合に、画像処理部１３０は画像データを設定された設定値に従って画像処理する（ステップＳ１０１８）。画像処理部１３０は、画像処理された画像データおよび閲覧軸の位置を画像記憶部１２０に格納する（ステップＳ１０１９）。プリンタコントローラ１４２は、画像処理された画像データをプリンタ１４０から出力する（ステップＳ１０２０）。仕上げ処理部１４１は、出力された印刷物２に対して仕上げ処理を行う（ステップＳ１０２１）。すなわち、印刷物２は、画像データ２ページを１ページに集約して両面印刷され、パンチが施される。
【００８３】
（第２の実施の形態）
第２の実施の形態について、添付図面を参照して説明する。本実施の形態にかかる複合機の機能、構成は、第１の実施の形態とほぼ同一であるため、第１の実施の形態と異なる部分のみを説明する。本実施の形態にかかる複合機は、書式情報や出力様式から閲覧軸の位置を判定するのではなく、プレビュー画像に対する指示により、閲覧軸の位置の入力を受付け、入力された閲覧軸の位置に対応して出力様式メニューや設定値を限定する。
【００８４】
本実施の形態における複合機１００による処理条件設定処理について説明する。図１８は、第２の実施の形態にかかるスキャナ、書式判定部、閲覧軸判定部、出力様式メニュー生成部、操作表示制御部、プリンタコントローラ、仕上げ処理部が行う出力様式設定・出力処理手順を示すフローチャートである。なお、本実施の形態にかかる出力様式設定・出力処理の手順は、図１０−１、図１０−２に示すフローチャートとほぼ同様であるので、異なる部分のみ説明する。ステップＳ１８０９〜ステップＳ１８１２は、図１０−１の説明を参照し、ステップＳ１８１２以降の処理は、図１０−２とその説明を参照し、ここでの説明を省略する。
【００８５】
まず、スキャナ１１０は、原稿１を読取り、画像データを取得する（ステップＳ１８０１）。スキャナ１１０は、取得した画像データを画像記憶部１２０に格納する（ステップＳ１８０２）。操作表示制御部１５１は、画像記憶部１２０から画像データを取得し、取得した画像データや出力様式メニュー等から画面データを生成する（ステップＳ１８０３）。操作表示制御部１５１は、生成された画面データを操作表示部１５０に表示する（ステップＳ１８０４）。
【００８６】
操作表示制御部１５１は、操作表示部１５０での指示により、閲覧軸の位置の入力を受付ける（ステップＳ１８０５）。次に、出力様式メニュー生成部１５４は、入力された閲覧軸の位置に対応する出力様式メニュー生成処理を実行する（ステップＳ１８０６）。操作表示制御部１５１は、画像データから生成されたプレビュー画像、閲覧軸、出力様式メニュー等からなる画面データを生成する（ステップＳ１８０７）。操作表示制御部１５１は、生成された画面データを操作表示部１５０に表示する（ステップＳ１８０８）。以下は、図１０−１、図１０−２での説明を参照する。
【００８７】
このように、閲覧軸の位置を利用者が自ら入力することにより、利用者の意図した閲覧軸の位置を設定でき、設定された閲覧軸の位置に限定された出力様式が表示され、指示することができるため、利用者が意図する出力様式を容易に設定することができる。
【００８８】
（第３の実施の形態）
第３の実施の形態について、添付図面を参照して説明する。本実施の形態にかかる複合機の機能、構成は、第１の実施の形態とほぼ同一であるため、第１の実施の形態と異なる部分のみを説明する。本実施の形態にかかる複合機は、記憶部に格納された画像データと閲覧軸の位置を取得し、取得された閲覧軸の位置に対応して出力様式メニューや設定値を限定する。
【００８９】
本実施の形態における複合機１００による出力様式設定・出力処理について説明する。図１９は、第３の実施の形態にかかるスキャナ、書式判定部、閲覧軸判定部、出力様式メニュー生成部、操作表示制御部、プリンタコントローラ、仕上げ処理部が行う出力様式設定・出力処理手順を示すフローチャートである。なお、本実施の形態にかかる処理条件設定処理の手順は、図１０−１、図１０−２に示すフローチャートとほぼ同様であるので、異なる部分のみ説明する。ステップＳ１９０５〜ステップＳ１９０８は、図１０−１の説明を参照し、ステップＳ１９０８以降の処理は、図１０−２とその説明を参照し、ここでの説明を省略する。
【００９０】
まず、操作表示制御部１５１は、画像記憶部１２０から画像データおよび閲覧軸の位置を取得する（ステップＳ１９０１）。図２０、図２１は、操作表示部に表示されているプレビュー画像と閲覧軸を画像データに埋め込んだ例を示す説明図である。図２０や図２１に示すように、画像データまたはプレビュー画像に閲覧軸の位置を画像として埋め込む。また、閲覧軸の位置は、画像データに文字情報として格納してもよい。次に、出力様式メニュー生成部１５４は、取得された閲覧軸の位置に対応する出力様式メニュー生成処理を実行する（ステップＳ１９０２）。操作表示制御部１５１は、画像データから生成されたプレビュー画像、閲覧軸の位置、出力様式メニュー等からなる画面データを生成する（ステップＳ１９０３）。操作表示制御部１５１は、生成された画面データを操作表示部１５０に表示する（ステップＳ１９０４）。以下は、図１０−１、図１０−２での説明を参照する。
【００９１】
このように、画像データまたはプレビュー画像に閲覧軸の位置が格納されている場合は、格納された閲覧軸の位置から出力様式メニューを生成することにより、画像データから閲覧軸の位置を判定する必要がないため、処理時間が短縮することができる。
【００９２】
（第４の実施の形態）
第４の実施の形態について、添付図面を参照して説明する。本実施の形態にかかる複合機の機能、構成は、第１の実施の形態とほぼ同一であるため、第１の実施の形態と異なる部分のみを説明する。本実施の形態にかかる複合機は、記憶部に格納された画像データと文書ＩＤを取得し、取得された文書ＩＤに対応付けて記憶されている閲覧軸の位置に対応して出力様式メニューや設定値を限定する。
【００９３】
本実施の形態にかかる複合機は、第１の実施の形態の構成に加え、文書情報データベースを備えている。文書情報データベースは、文書ＩＤに対応する閲覧軸の位置を格納する。図２２は、第４の実施の形態にかかる文書情報データベースのデータ構成の一例を示す説明図である。文書情報データベースは、文書ＩＤと、閲覧軸の位置情報とを対応付けて記憶している。ここで、文書ＩＤとは、１または複数ページの画像データからなる文書を識別する情報である。
【００９４】
本実施の形態における複合機による出力様式設定・出力処理について説明する。図２３は、スキャナ、書式判定部、閲覧軸判定部、出力様式メニュー生成部、操作表示制御部、プリンタコントローラ、仕上げ処理部が行う出力様式設定・出力処理手順を示すフローチャートである。なお、本実施の形態にかかる処理条件設定処理の手順は、図１０−１、図１０−２に示すフローチャートとほぼ同様であるので、異なる部分のみ説明する。ステップＳ２３０６〜ステップＳ２３０９は、図１０−１での説明を参照し、ステップＳ２３０９以降の処理は、図１０−２とその説明を参照し、ここでの説明を省略する。
【００９５】
まず、操作表示制御部１５１は、画像記憶部１２０から画像データおよび文書ＩＤを取得する（ステップＳ２３０１）。操作表示制御部１５１は、文書情報データベースから、取得した文書ＩＤに対応する閲覧軸の位置を取得する（ステップＳ２３０２）。次に、出力様式メニュー生成部１５４は、取得された閲覧軸の位置に対応する出力様式メニュー生成処理を実行する（ステップＳ２３０３）。操作表示制御部１５１は、画像データから生成されたプレビュー画像、閲覧軸の位置、出力様式メニュー等からなる画面データを生成する（ステップＳ２３０４）。操作表示制御部１５１は、生成された画面データを操作表示部１５０に表示する（ステップＳ２３０５）。以下は、図１０−１、図１０−２での説明を参照する。
【００９６】
このように、文書ごとに閲覧軸の位置を格納し、格納された閲覧軸の位置に対応して出力様式メニューを生成することにより、画像データから閲覧軸の位置を判定する必要がないため、処理時間を短縮することができる。
【００９７】
（第５の実施の形態）
第１〜第４の実施の形態においては、本発明の画像処理装置として、ＭＦＰと称される複合機１００を適用したが、これに限るものではない。例えば、プリンタ装置などの画像形成装置をパーソナルコンピュータに接続するとともに、このパーソナルコンピュータのＨＤＤ（Hard Disk Drive）などの記憶装置に所定のプログラムをインストールし、このプログラムに従ってパーソナルコンピュータのＣＰＵ（Central Processing Unit ）を動作させることによっても、前述したような各種の作用効果と同様の作用効果を得ることができる。
【００９８】
図２４は、第５の実施の形態にかかるプリントシステムの概略構成例を示すブロック図である。図２４に示すプリントシステム３００は、画像データ及び当該画像データを印刷するための出力様式を含む印刷ジョブを送出するパーソナルコンピュータ３０１と、画像データを印刷するプリンタ装置３０２とが、ケーブル３０３を介して接続されて構築されている。
【００９９】
パーソナルコンピュータ３０１は、作成した文書に対応した画像データ及びこの文書を印刷するために設定した出力様式データ（用紙方向、両面、集約、製本、ステープル、パンチ、拡大／縮小等）を印刷ジョブとしてプリンタ装置３０２に送出する。
【０１００】
プリンタ装置３０２は、パーソナルコンピュータ３０１から送出される印刷ジョブに従って画像データの印刷を行う。具体的には、プリンタ装置３０２は、印刷ジョブに含まれる出力様式データ（用紙方向、両面、集約、製本、ステープル、パンチ、拡大／縮小等）に従って、印刷ジョブに含まれる画像データを紙などのメディアに印刷する。
【０１０１】
以下、パーソナルコンピュータ３０１およびプリンタ装置３０２の具体的な構成を順に説明する。
【０１０２】
図２５は、パーソナルコンピュータの概略構成を示すブロック図である。図２５において、パーソナルコンピュータ３０１は、データを入力するための入力部３１１と、表示部３１２と、データ通信をおこなうための通信部３１３と、装置全体の制御を司るＣＰＵ３１４と、ＣＰＵ３１４のワークエリアとして使用されるＲＡＭ３１５と、記憶媒体３１７のデータのリード／ライトを行う記憶媒体ドライブ装置３１６と、ＣＰＵ３１４を動作させるための各種プログラム等を記憶した記憶媒体３１７とから構成されている。
【０１０３】
入力部３１１は、カーソルキー、数字入力キー及び各種機能キー等を備えたキーボード、表示部３１２の表示画面上でキーの選択等を行うためのマウスやスライスパット等からなり、利用者がＣＰＵ３１４に操作指示を与えたり、データを入力するためのユーザインタフェースである。
【０１０４】
表示部３１２は、ＣＲＴやＬＣＤ等により構成され、ＣＰＵ３１４から入力される表示データに応じた表示が行われる。通信部３１３は、外部とデータ通信するためのものであり、例えば、ケーブル３０３を介してプリンタ装置３０２等とデータ通信を行うためのものである。
【０１０５】
ＣＰＵ３１４は、記憶媒体３１７に格納されているプログラムに従って、装置全体を制御する中央制御ユニットであり、このＣＰＵ３１４には、入力部３１１、表示部３１２、通信部３１３、ＲＡＭ３１５、記憶媒体ドライブ装置３１６が接続されており、データ通信、メモリへのアクセスによるアプリケーションプログラムの読み出しや各種データのリード／ライト、データ／コマンド入力、表示等を制御する。また、ＣＰＵ３１４は、入力部３１１から入力された画像データ及び当該画像データの印刷条件データを印刷ジョブとして通信部３１３を介して、プリンタ装置３０２に送出する。
【０１０６】
ＲＡＭ３１５は、指定されたプログラム、入力指示、入力データ及び処理結果等を格納するワークメモリと、表示部３１２の表示画面に表示する表示データを一時的に格納する表示メモリとを備えている。
【０１０７】
上記記憶媒体３１７は、ＣＰＵ３１４が実行可能なＯＳプログラム３１７ａ（例えば、ＷＩＮＤＯＷＳ（登録商標）等）、文書作成アプリケーションプログラム３１７ｂ、プリンタ装置３０２に対応したプリンタドライバ３１７ｃ等の各種プログラムやデータを格納する。記憶媒体３１７としては、例えば、フレキシブルディスク、ハードディスク、ＣＤ−ＲＯＭ、ＤＶＤ−ＲＯＭ、ＭＯやＰＣカード等の光学的・磁気的・電気的な記憶媒体から成る。上記各種プログラムは、ＣＰＵ３１４が読み取り可能なデータ形態で記憶媒体３１７に格納されている。また、上記各種プログラムは、予め記憶媒体に記録されている場合や通信回線を介してダウンロードされて記憶媒体に格納される場合等がある。また、上記各種プログラムは通信回線を介して配信可能である。
【０１０８】
図２６は、プリンタ装置の概略構成を示すブロック図である。図２６に示すように、プリンタ装置３０２は、データ通信をおこなう通信部３２１と、プリンタ装置３０２の全体の制御を司るＣＰＵ３２２と、ＣＰＵ３２２を動作させる各種制御プログラムを格納したＲＯＭ３２３と、各種制御プログラムのワークエリアおよびパーソナルコンピュータ３０１等から入力される印刷ジョブの印字データおよび出力様式データを一時的格納するＲＡＭ３２４と、印字データを転写紙に印字するためのプリンタエンジン３２５と、印字データが印字された紙をステープルするためのステープル部３２６と、印字データが印字された転写紙にパンチ穴を空けるためのパンチ部３２７とから構成されている。つまり、プリンタ装置３０２は、両面機能、パンチ機能、ステープル機能等を備えている。
【０１０９】
通信部３２１は、外部とデータ通信を行うためのものであり、例えば、パーソナルコンピュータ３０１とデータ通信を行うものである。
【０１１０】
ＣＰＵ３２２は、ＲＯＭ３２３に格納されている各種制御プログラムに従って装置全体を制御する中央制御ユニットである。このＣＰＵ３２２には、通信部３２１と、ＲＯＭ３２３と、ＲＡＭ３２４と、プリンタエンジン３２５と、ステープル部３２６と、パンチ部３２７が接続されており、データ通信やプリンタ動作等を制御する。
【０１１１】
ＲＯＭ３２３は、ＣＰＵ３２２を動作させるための各種制御プログラムやその処理に使用されるパラメータ等を記憶している。ＲＡＭ３２４は、指定された制御プログラム、処理結果及び受信した画像データ等を格納するワークメモリを備えている。
【０１１２】
プリンタエンジン３２５は、電子写真方式のプリンタエンジンで構成されており、印字データを転写紙に印字するユニットである。なお、プリンタ装置３０２の印刷方式は、電子写真方式のほか、インクジェット方式、昇華型熱転写方式、銀塩写真方式、直接感熱記録方式、溶融型熱転写方式など、様々な方式を用いることができる。
【０１１３】
次に、パーソナルコンピュータ３０１のプリンタドライバ３１７ｃについて説明する。プリンタドライバ３１７ｃは、特定のプログラムに対して他のプログラムが、プリンタ装置３０２のハードウェアや内部“言語"に煩わされることなく操作できるように設計されたソフトウエアプログラムであり、プリンタ装置３０２を制御するためのもので、出力データの処理等をおこなうためのものである。
【０１１４】
パーソナルコンピュータ３０１のＣＰＵ３１４は、プリンタドライバ３１７ｃに従って、入力部３１１から入力された画像データ及び当該画像データの出力様式データに基づく仕上がり予想図の生成・表示、文書作成アプリケーションプログラム３１７ｂで作成した画像データのプリンタ装置３０２への転送等を行う。
【０１１５】
図２７は、パーソナルコンピュータの要部を示すブロック図である。パーソナルコンピュータ３０１は、プリンタドライバ３１７ｃに従ってＣＰＵ３１４が動作することにより、図２７に示すように、画像記憶部１２０、画像処理部１３０、操作表示制御部１５１、書式判定部１５２、閲覧軸判定部１５３、出力様式メニュー生成部１５４、システム制御部１６０、閲覧軸判定データベース１８０および出力様式データベース１９０を備える。
【０１１６】
このように、プリンタドライバ３１７ｃに従ってＣＰＵ３１４が動作することにより、パーソナルコンピュータ３０１は、図１に示した複合機１００と同等なシステム構成を備えることになり、第１〜第４の実施の形態で説明したような各種の作用効果と同様の作用効果を得ることができる。
【０１１７】
図２８は、プリンタドライバによる表示画面の一例を示す説明図である。図２８に示す画面は、文書作成アプリケーションプログラム３１７ｂの表示画面やＯＳプログラム３１７ａの起動画面等で、プリンタドライバ３１７ｃの起動が選択された場合に表示される画面である。図２８に示すように、入力部３１１から入力された画像データ及び当該画像データの出力様式データに基づくプレビュー画像の生成・表示を行なう表示画面が表示部３１２（複合機１００の操作表示画面と同様のもの）が表示される。
【０１１８】
なお、本実施の形態においては、プリンタドライバ３１７ｃに従ってパーソナルコンピュータ３０１のＣＰＵ３１４を動作させることによって、入力部３１１から入力された画像データ及び当該画像データの出力様式データに基づく仕上がり予想図の生成・表示を行なう操作表示画面を表示させるようにしたが、これに限るものではなく、文書作成アプリケーションプログラム３１７ｂやＯＳプログラム３１７ａに従ってパーソナルコンピュータ３０１のＣＰＵ３１４を動作させることによって、操作表示画面を表示させるようにしてもよい。
【０１１９】
以上、本発明者によってなされた発明を好適な実施例に基づき具体的に説明したが、本発明は上記のものに限定されるものではなく、その要旨を逸脱しない範囲で種々変更可能であることはいうまでもない。また、上述した第１〜第５の実施の形態において説明した構成や機能は、自由に組み合わせることができる。
【図面の簡単な説明】
【０１２０】
【図１】第１の実施の形態にかかる複合機の構成を示すブロック図である。
【図２】閲覧軸判定データベースのデータ構成の一例を示す説明図である。
【図３】操作表示部に表示されたプレビュー画像と閲覧軸の一例を示す説明図である。
【図４】操作表示部に表示されたプレビュー画像と閲覧軸の一例を示す説明図である。
【図５】操作表示部に表示されたプレビュー画像と閲覧軸の一例を示す説明図である。
【図６】操作表示部に表示されたプレビュー画像と閲覧軸の一例を示す説明図である。
【図７】操作表示部に表示されたプレビュー画像と閲覧軸の一例を示す説明図である。
【図８】操作表示部に表示されたプレビュー画像と閲覧軸の一例を示す説明図である。
【図９】出力様式データベースのデータ構成の一例を示す説明図である。
【図１０−１】スキャナ、書式判定部、閲覧軸判定部、出力様式メニュー生成部、操作表示制御部、プリンタコントローラ、仕上げ処理部が行う出力様式設定・出力処理手順を示すフローチャートである。
【図１０−２】スキャナ、書式判定部、閲覧軸判定部、出力様式メニュー生成部、操作表示制御部、プリンタコントローラ、仕上げ処理部が行う出力様式設定・出力処理手順を示すフローチャートである。
【図１１−１】閲覧軸判定部が行う閲覧軸判定処理手順を示すフローチャートである。
【図１１−２】閲覧軸判定部が行う閲覧軸判定処理手順を示すフローチャートである。
【図１２】出力様式メニュー生成部が行う出力様式メニュー生成処理手順を示すフローチャートである。
【図１３】操作表示部に表示された表示画面の一例を示す説明図である。
【図１４】操作表示部に表示された表示画面の一例を示す説明図である。
【図１５】閲覧軸の位置を変更した場合の表示画面の一例を示す説明図である。
【図１６】次ページを指示した場合の表示画面の一例を示す説明図である。
【図１７】パンチを指示した場合の表示画面の一例を示す説明図である。
【図１８】第２の実施の形態にかかるスキャナ、書式判定部、閲覧軸判定部、出力様式メニュー生成部、操作表示制御部、プリンタコントローラ、仕上げ処理部が行う出力様式設定・出力処理手順を示すフローチャートである。
【図１９】第３の実施の形態にかかるスキャナ、書式判定部、閲覧軸判定部、出力様式メニュー生成部、操作表示制御部、プリンタコントローラ、仕上げ処理部が行う出力様式設定・出力処理手順を示すフローチャートである。
【図２０】操作表示部に表示されているプレビュー画像と閲覧軸を画像データに埋め込んだ例を示す説明図である。
【図２１】操作表示部に表示されているプレビュー画像と閲覧軸を画像データに埋め込んだ例を示す説明図である。
【図２２】第４の実施の形態にかかる文書情報データベースのデータ構成の一例を示す説明図である。
【図２３】スキャナ、書式判定部、閲覧軸判定部、出力様式メニュー生成部、操作表示制御部、プリンタコントローラ、仕上げ処理部が行う出力様式設定・出力処理手順を示すフローチャートである。
【図２４】第５の実施の形態にかかるプリントシステムの概略構成例を示すブロック図である。
【図２５】パーソナルコンピュータの概略構成を示すブロック図である。
【図２６】プリンタ装置の概略構成を示すブロック図である。
【図２７】パーソナルコンピュータの要部を示すブロック図である。
【図２８】プリンタドライバによる表示画面の一例を示す説明図である。
【符号の説明】
【０１２１】
１００  複合機
１１０  スキャナ
１１１  ＡＤＦ
１１２  スキャナコントローラ
１２０  画像記憶部
１３０  画像処理部
１４０  プリンタ
１４１  仕上げ処理部
１４２  プリンタコントローラ
１５０  操作表示部
１５０ａ  タッチパネル
１５０ｂ  表示パネル
１５１  操作表示制御部
１５２  書式判定部
１５３  閲覧軸判定部
１５４  出力様式メニュー生成部
１６０  システム制御部
１７０  通信制御部
１８０  閲覧軸判定データベース
１９０  出力様式データベース
３００  プリントシステム
３０１  パーソナルコンピュータ
３０２  プリンタ装置
３０３  ケーブル
１  原稿
２  印刷物
２０  ネットワーク
【図１】
2008311956.tif 000003
【図２】
2008311956.tif 000004
【図３】
2008311956.tif 000005
【図４】
2008311956.tif 000006
【図５】
2008311956.tif 000007
【図６】
2008311956.tif 000008
【図７】
2008311956.tif 000009
【図８】
2008311956.tif 000010
【図９】
2008311956.tif 000011
【図１０−１】
2008311956.tif 000012
【図１０−２】
2008311956.tif 000013
【図１１−１】
2008311956.tif 000014
【図１１−２】
2008311956.tif 000015
【図１２】
2008311956.tif 000016
【図１３】
2008311956.tif 000017
【図１４】
2008311956.tif 000018
【図１５】
2008311956.tif 000019
【図１６】
2008311956.tif 000020
【図１７】
2008311956.tif 000021
【図１８】
2008311956.tif 000022
【図１９】
2008311956.tif 000023
【図２０】
2008311956.tif 000024
【図２１】
2008311956.tif 000025
【図２２】
2008311956.tif 000026
【図２３】
2008311956.tif 000027
【図２４】
2008311956.tif 000028
【図２５】
2008311956.tif 000029
【図２６】
2008311956.tif 000030
【図２７】
2008311956.tif 000031
【図２８】
2008311956.tif 000032